(57)【要約】【課題】家畜等の糞尿を効率よく乾燥する方法および装置を提供する。【解決手段】糞尿を高温にして攪拌している微細粉上に供給することで固形成分と水分との分離を可能にした。乾燥装置１００は、糞尿供給装置１０５、乾燥容器１０１、攪拌装置１０２、ダクト１０７、冷却器１０９、水の回収装置１１２、乾燥固体の回収容器１１４、制御装置１１６より構成されている。乾燥容器１０１に微細粉１０４をいれ、攪拌モーター１０２を用いて攪拌し、摩擦により容器内の温度を上昇させて９０℃とする。糞尿の供給装置１０５から所定の量を継続して供給する。蒸発が起こり水蒸気がダクト１０７に取り付けてあるファン１０８を所定の速度で回すことにより、冷却装置１０９へと導かれ、水蒸気は冷却器で冷却され、水となって回収装置１１２に蓄積される。一定量の乾燥が行われた糞尿の固形分は排出口１１３から乾燥固体として回収容器１１４に蓄積される。【選択図】  「図１」
2005246359.tif 000002
【特許請求の範囲】
【請求項１】
家畜等の糞尿および清掃廃水から水を蒸発させ乾燥固体とする方法であって、装置容器内に入れた植物性の微細粉を機械攪拌し、前記容器内に糞尿を供給し、加熱微細粉の表面に前記糞尿を分散付着させて水の蒸発を促進し、乾燥した糞尿固体とすることを特徴とする糞尿処理方法。
【請求項２】
前記微細粉は、水に不溶性の物質であって、有機物、金属酸化物、複合酸化物の少なくとも一つで構成されていることを特徴とする請求項１に記載の糞尿処理方法。
【請求項３】
前記微細粉が所定以上の温度になるよう制御されていることを特徴とする請求項１または請求項２に記載の糞尿処理方法。
【請求項４】
糞尿から水を蒸発させて乾燥固体とする装置であって、所定量の植物性微細粉を収納する容器と、前記微細粉を攪拌する手段と、所定量の糞尿を供給する手段と、蒸発した水を常圧、または減圧条件で容器外へ誘導する手段を備えた糞尿の乾燥装置。
【発明の詳細な説明】
【技術分野】
【０００１】本発明は、家畜等の糞尿から水分を蒸発させて、糞尿を乾燥させる方法および装置に関し、例えば糞尿を効率よく乾燥状態とすることで家畜生産における糞尿処理の問題に対する解決法を提案することに関する。
【背景技術】
【０００２】近年の農業生産における諸問題、または地球環境における二酸化炭素排出削減問題から家畜生産現場においても糞尿処理の改善が求められている。【０００３】従来は、堆肥化、メタン醗酵、浄化槽のよる微生物処理などが行われている。いわゆる畜産汚濁物質は、家畜糞尿による有機物が主たる成分であり、量的にも人の十倍を越えるような排出量となっている。【０００４】畜産農家と非畜産農家が近接して暮らす場合には、臭気の環境問題が生じ、畜産汚水が流れ出すような場合には、水質汚濁防止法による基準を超えてしまうような場合もあり、早急な対策が求められる所以である。【０００５】堆肥化や汚水処理場を設置するにしてもその経済的負担割合が高くなると、畜産農家は経営的に行き詰まりとなる。
【発明の開示】
【発明が解決しようとする課題】
【０００６】堆肥化およびメタン醗酵などの広大な施設面積を必要とする問題、汚水処理場では設備も必要とする問題を考えると大規模畜産農家では可能であっても、中小では困難である。そこで、水分を蒸発させ、全体量を乾燥固体として減量化する方法を提供する。
【課題を解決するための手段】
【０００７】上記目的を達成するために、本発明の糞尿の乾燥処理方法に係わる一実施形態では、以下の構成を備える。すなわち、水分を除去すべき糞尿から水分を蒸発させる糞尿の乾燥方法であって、乾燥容器中に入れられた微細粉を攪拌し容器内の温度を摩擦熱により上昇させておき、これに糞尿を供給し、前記微細粉上にて分散させ、水分の蒸発を促進させ、蒸発した水蒸気を冷却器で液化して水分として回収することを特徴とする。【０００８】また例えば、前記微細粉は、数十ミクロン以上、数ミリメートル以下であることを特徴とする。部分的に数ミリメートル以上の粉が混合されても処理は可能であるが、望むべくは繊維の長いものはあまりないほうが望ましい。【０００９】また例えば、上記容器内の温度は６０〜９０℃に保って乾燥処理を行うことを特徴とする。ダクトから排出する蒸気量を増加させるには、減圧装置を付加的に追加してもよいが容器を耐圧性の条件にするため費用がかかる。温度はこの範囲に限定する必要はないが、作業の効率、設備に対する負担を考えれば、８０〜９０℃に保って処理を行うほうが望ましい。【００１０】ここでは、糞尿の乾燥処理法としているが、糞尿に限らず水分を多く含むものであればこの方法が適用できる。おからや汚泥、生ゴミなどのような含水状態にあって、水分を分離することで腐敗を止めることが必要なものについては同様の方法、装置によって処理をすることが出来る。
【発明の効果】
【００１１】以上説明したように、本発明によれば家畜等の糞尿を効率よく乾燥する方法と装置を提供できる。
【発明を実施するための最良の形態】
【００１２】
【実施例】
【００１３】以下に図面を参照して、本発明に係わる一実施の形態例を説明する。【００１４】以下の本実施の形態例の説明では、糞尿の乾燥方法および糞尿の乾燥装置として説明しているが、本発明の範囲を記載例に限定する趣旨のものではない。【００１５】図１は、本実施の形態例の糞尿の乾燥システムの構成を示す図である。本実施の形態例では、図１に示す構成とすることにより、乾燥すべき糞尿から水を分離して乾燥した糞尿とすることが出来る。【００１６】なお、以下の説明は、糞尿として牛糞を用いる場合を例として説明する。【００１７】図１において、１０１は微細粉を収納する乾燥容器であり、本実施の形態例では７０ｘ８０ｘ１４０ｃｍのものを用いている。１０２は攪拌モーターであり、１０３攪拌翼を回転させて微細粉を攪拌する。これらで攪拌乾燥装置を形成している。【００１８】本実施の攪拌装置では、攪拌モーターが６基設置されており、各々が１．５ｋｗ容量のモーターとなっている。数百から千数百ｒｐｍの回転数にて攪拌する。【００１９】この回転数は、微細粉の量や温度、糞尿の単位時間当たりの処理量などの条件により、適宜最適な回転数に制御される。【００２０】１０４は、微細粉であり、例えば木材の微細粉である。本実施例では、サトウキビの絞り粕であるバガス４０ｋｇを用いている。１０５は、糞尿を乾燥容器１０１に供給する装置であるが、１０６の供給ポッパーにて適量が適当な時間間隔にて乾燥容器に供給される。【００２１】供給量は、乾燥容器からの水蒸気の蒸発速度と冷却して出来る水の量に匹敵する糞尿の量を供給することが望ましく、温度、糞尿の含水率などで決まる。【００２２】例えば、一日の処理量を１５０ｋｇとして、１０時間処理時間だとすれば、一時間当たり１５ｋｇを供給すればよいので一分あたり２５０ｇを供給することになる。含水率が８０％の糞尿の場合、約２００ｇの水が冷却されるように乾燥容器の温度、ダクトのファン、冷却器の温度を調整する。ちなみに一時間当たり、約１２リットルの水が回収される。【００２３】例えば、８０％含水率の糞尿の場合、最初はすこし粘り気のあるスラリー状であるが、含水率が１５％ぐらいまで低下されると糞尿自体も微細な粉となり、所謂乾いた状態となるのでバガスの微細粉と混合している。【００２４】糞尿を供給して乾燥固体を作っていくと、乾燥容器内の微細粉と糞尿の乾燥固体とで重量が増してくる。そこである程度の量になったら供給を一時的に停止して、全体を含水率１５％ぐらいにし、排出口１１３より乾燥糞尿分を排出する。【００２５】これは、乾燥容器内の固体量を一定に保つことで、攪拌モーターに対する負荷を一定に保つようにしている。全体量の１０〜２０％程度の増加がみられたら、排出してもとの量に戻すようにしている。【００２６】蒸発する水蒸気は、微細粉に比べると軽いので微細粉よりも上部にあるので乾燥容器内が高湿度状態にある限り水蒸気が優先的にダクトから排出されることになる。【００２７】供給する糞尿の量が多すぎると乾燥容器内の含水率が高くなり、攪拌モーターに対する負荷が高くなりすぎて攪拌モーターを止めることになるので注意する必要がある。適度の湿潤状態で水蒸気を上部に昇らせつつ、ファンで冷却器に送り込み冷却して水に戻すことで、次の水蒸気が昇るようにするような条件が理想的と言える。
【産業上の利用可能性】
【００２８】畜産業における糞尿処理に利用可能である。
【図面の簡単な説明】
【００２９】
【図１】本発明に係わる糞尿の乾燥システムの構成を示す図である。
【符号の説明】
【００３０】１００    糞尿処理装置
１０１    乾燥容器
１０２    攪拌モーター
１０３    攪拌翼
１０４    微細粉
１０５    糞尿供給装置
１０６    供給ポッパー
１０７    ダクト
１０８    ファン
１０９    冷却装置
１１０    脱臭装置
１１１    水
１１２    回収装置
１１３    排出口
１１４    回収容器
１１５    回収固体
１１６    制御装置
【図１】
2005246359.tif 000003